(57)【要約】【課題】機器の動作状態に応じてディスプレイの表示色を変化させる。【解決手段】ＥＣＲ（Ｅｌｅｃｔｒｏｎｉｃ  Ｃａｓｈ  Ｒｅｇｉｓｔｅｒ）１のＣＰＵ１０は、機器自体の動作状態に応じて、表示装置１２のＬＣＤ（Ｌｉｑｕｉｄ  Ｃｒｙｓｔａｌ  Ｄｉｓｐｌａｙ）のバックライトの色を制御する。また、ＣＰＵ１０は、ＥＣＲ１に接続された他の装置（ＥＣＲ２、プリンタ２０）との間の動作状態に応じて、表示装置１２のＬＣＤのバックライトの色を制御する。【選択図】    図２
2005018420.tif 000002
【特許請求の範囲】
【請求項１】
表示装置を照射するバックライト部を備える電子機器であって、
電子機器の動作状態を判別する判別手段と、
前記判別手段により判別された動作状態に応じて、前記表示装置のバックライト部の色を制御する表示制御手段と、
を備えることを特徴とする電子機器。
【請求項２】
各種の入力操作を行うための入力装置を備え、
前記表示制御手段は、前記入力装置による入力操作が不可状態である場合に、前記バックライト部の色を変更する制御を行うことを特徴とする請求項１に記載の電子機器。
【請求項３】
画像を取り込むためのスキャナを備え、
前記表示制御手段は、前記スキャナによる画像取り込みの成否に応じて、前記バックライト部の色を変更する制御を行うことを特徴とする請求項１又は２に記載の電子機器。
【請求項４】
表示装置を照射するバックライト部を備える電子機器であって、
電子機器と他の機器との間における動作状態を判別する判別手段と、
前記判別手段により判別された動作状態に応じて、前記表示装置のバックライト部の色を制御する表示制御手段と、
を備えることを特徴とする電子機器。
【請求項５】
前記表示制御手段は、前記他の機器との間の通信が不可状態である場合に、前記バックライト部の色を変更する制御を行うことを特徴とする請求項４に記載の電子機器。
【請求項６】
表示装置を照射するバックライト部を備える電子機器を制御するコンピュータに、
前記電子機器の動作状態を判別する判別機能と、
前記判別機能により判別された動作状態に応じて、前記表示装置のバックライト部の色を制御する制御機能と、
を実現させるためのプログラム。
【請求項７】
表示装置を照射するバックライト部を備える電子機器を制御するコンピュータに、
電子機器と他の機器との間における動作状態を判別する判別機能と、
前記判別機能により判別された動作状態に応じて、前記表示装置のバックライト部の色を制御する制御機能と、
を実現させるためのプログラム。
【発明の詳細な説明】
【０００１】
【発明の属する技術分野】
本発明は、電子機器及びプログラムに関する。
【０００２】
【従来の技術】
従来、百貨店、スーパーマーケット、コンビニエンスストア、レストラン等に設置されるＥＣＲ（Ｅｌｅｃｔｒｏｎｉｃ  Ｃａｓｈ  Ｒｅｇｉｓｔｅｒ：電子レジスタ）の表示装置は、蛍光表示管が主流であり、液晶ディスプレイ（ＬＣＤ：Ｌｉｑｕｉｄ  Ｃｒｙｓｔａｌ  Ｄｉｓｐｌａｙ）は、ごく一部で使用されていた。蛍光表示管は、ディスプレイ自体が発光するが、液晶ディスプレイでは、ディスプレイの背面から光（バックライト）を照射する必要がある。このような液晶ディスプレイを適用した装置として、例えば、特許文献１では、レストラン等の飲食店で使用されるＰＯＳ（Ｐｏｉｎｔ  Ｏｆ  Ｓａｌｅ：販売時点情報管理）端末の液晶表示パネル上に、各種の商品名を示すキーを割り当てたキーボード装置が提案されている。
【０００３】
【特許文献１】
特開平９−１３４２４２号公報
【０００４】
【発明が解決しようとする課題】
しかしながら、従来のＥＣＲで使用される液晶ディスプレイは、ディスプレイを照射するバックライトが単色で構成されているため、機器がどのような動作状態にあっても同一の色が表示されていた。従って、ＥＣＲを使用するオペレータは、機器の動作状態を容易に把握することができないという問題があった。
【０００５】
本発明の課題は、機器の動作状態に応じてディスプレイの表示色を変化させることである。
【０００６】
【課題を解決するための手段】
上記課題を解決するため、請求項１に記載の発明は、表示装置を照射するバックライト部を備える電子機器であって、電子機器の動作状態を判別する判別手段と、前記判別手段により判別された動作状態に応じて、前記表示装置のバックライト部の色を制御する表示制御手段と、を備えることを特徴としている。
【０００７】
請求項４に記載の発明は、表示装置を照射するバックライト部を備える電子機器であって、電子機器と他の機器との間における動作状態を判別する判別手段と、前記判別手段により判別された動作状態に応じて、前記表示装置のバックライト部の色を制御する表示制御手段と、を備えることを特徴としている。
【０００８】
本発明によれば、電子機器に備えられた表示装置のバックライト部の色を、電子機器自体の動作状態に応じて制御することにより、電子機器の動作状態を通知することが可能になる。また、前記バックライト部の色を、他の機器との間の動作状態に応じて制御することにより、他の機器との間の動作状態を通知することが可能になる。
【０００９】
【発明の実施の形態】
以下、図を参照して本発明の実施の形態を詳細に説明する。以下の実施の形態では、本発明の電子機器がＥＣＲ（Ｅｌｅｃｔｒｏｎｉｃ  Ｃａｓｈ  Ｒｅｇｉｓｔｅｒ）に適用された場合を示すが、本発明の適用範囲はこれに限定されない。
【００１０】
まず、本実施の形態の構成を説明する。
図１は、本実施の形態におけるレストランシステム１００の全体構成を示すブロック図である。レストランシステム１００は、図１に示すように、レストランに設置され、客との取引の記録、各種演算、金銭管理等を行うＥＣＲ１、ＥＣＲ２と、レストランの厨房に設置され、客の注文内容を印刷するプリンタ２０により構成されている。ＥＣＲ１、ＥＣＲ２、プリンタ２０は、通信ネットワークＮにより接続されている。本実施の形態では、ＥＣＲ２を、ＥＣＲ１を制御するマスタとし、ＥＣＲ１を、ＥＣＲ２から制御されるスレーブとして説明する。なお、レストランシステム１００を構成するＥＣＲの台数は特に限定されない。また、食券を発行するためのプリンタ（図示略）を、通信ネットワークＮに接続するようにしてもよい。
【００１１】
ここで、通信ネットワークＮとは、例えば、ＬＡＮ（Ｌｏｃａｌ  Ａｒｅａ  Ｎｅｔｗｏｒｋ）等により構成される通信回線網であり、独立して構築された専用線、或いは一般の電話回線やデジタルデータを伝送可能なＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線等の公衆回線を複数有する。
【００１２】
次に、本発明を適用した実施の形態に係るＥＣＲ１の主要部構成について説明する。図２に、ＥＣＲ１の内部構成を示す。ＥＣＲ１は、図２に示すように、ＣＰＵ（Ｃｅｎｔｒａｌ  Ｐｒｏｃｅｓｓｉｎｇ  Ｕｎｉｔ）１０、入力装置１１、表示装置１２、伝送制御部１３、ＲＡＭ（Ｒａｎｄｏｍ  Ａｃｃｅｓｓ  Ｍｅｍｏｒｙ）１４、記録装置１５、印刷装置１６、スキャナ１７、ドロア１８により構成され、各部は、バス１９により接続されている。
【００１３】
ＣＰＵ１０は、記録装置１５に格納されている各種制御プログラムを読み出してＲＡＭ１４内に展開し、それらの制御プログラムに従ってＥＣＲ１の各部を集中制御する。以下、ＣＰＵ１０の制御動作について説明する。
【００１４】
ＣＰＵ１０は、ＥＣＲ１自体の動作状態を判別し、判別された動作状態に応じて、表示装置１２のＬＣＤの下（背面）に設けられＬＣＤを照射するようにしたバックライト部１２２の色を制御する（図５、図７〜図９、図１１参照）。動作状態（動作モード）としては、通常モード、精算モード、精算データクリアモード、スキャニングモード、各種のエラーモード等がある。例えば、精算データクリアモードにおいて、ＣＰＵ１０は、バックライトの色を、予め設定された精算データクリアモード用の色に変更することにより、オペレータに、次の釦操作が不可能であることを通知する。また、スキャニングモードにおいて、ＣＰＵ１０は、バーコードのスキャニングの成否に応じて、バックライトの色を制御する。
【００１５】
また、ＣＰＵ１０は、ＥＣＲ１に接続された他の機器（ＥＣＲ２、プリンタ２０）との間の動作状態を判別し、判別された動作状態に応じて、表示装置１２のＬＣＤのバックライトの色を制御する（図６、図１０参照）。例えば、ＥＣＲ２が稼動状態でない場合、プリンタ２０がＯＦＦ  ＬＩＮＥである場合等に、ＣＰＵ１０は、バックライトの色を予め設定された色に変更する制御を行う。
【００１６】
入力装置１１は、数字キー、ＥＣＲ１の各種動作（登録、点検、精算、停止等）を切り替えるモードキー、締め処理（合計／釣銭演算、取引データ更新）を行うための締めキー、解除キー、ＥＣＲ１のオペレータ（クラーク）を設定するクラークキー等の各種キーを備え、キー操作に応じた操作信号をＣＰＵ１０に出力する。また、入力装置１１は、表示装置１２の表示画面上にタッチパネルを備えた構成としてもよい。タッチパネルの場合、入力装置１１は、電磁誘導式、磁気歪式、感圧式等の座標読み取り原理で指示された座標を検出し、検出した座標を位置信号としてＣＰＵ１０に出力する。
【００１７】
表示装置１２は、ディスプレイ部１２１とバックライト部１２２を備える。ディスプレイ部１２１は、ＬＣＤ（Ｌｉｑｕｉｄ  Ｃｒｙｓｔａｌ  Ｄｉｓｐｌａｙ）により構成され、ＣＰＵ１０から入力される表示信号に従って、所要の表示処理を行う。バックライト部１２２は、ＬＥＤ（Ｌｉｇｈｔ  Ｅｍｉｔｔｉｎｇ  Ｄｉｏｄｅ）等により構成され、ディスプレイ部１２１の下（背面）に配置されている。バックライト部１２２は、ＣＰＵ１０から入力される電圧値データに応じた駆動電圧を印加することにより、ディスプレイ部１２１に光を照射し、ディスプレイ部１２１に表示された文字等を見やすくする。
【００１８】
伝送制御部１３は、モデム（ＭＯＤＥＭ：ＭＯｄｕｌａｔｏｒ／ＤＥＭｏｄｕｌａｔｏｒ）、ルータ、ＴＡ（Ｔｅｒｍｉｎａｌ  Ａｄａｐｔｅｒ）等によって構成され、電話回線、専用線、ＩＳＤＮ回線等の通信回線を介して外部機器と通信を行うための制御を行う。
【００１９】
ＲＡＭ１４は、ＣＰＵ１０により実行される各種制御プログラムや各種アプリケーションプログラムをプログラム格納エリアに展開する。また、ＲＡＭ１４は、入力データ及び上記制御プログラムの実行時に生じる処理結果等のデータを、ワークエリアに一時的に格納する。例えば、ＲＡＭ１４は、売上の合計データを記録するための合計メモリを備えている。また、ＲＡＭ１４は、外部のプリンタ（例えば、プリンタ２０）による印刷の対象となる商品データを一時的に格納する。更に、ＲＡＭ１４は、ＥＣＲ１のオペレータの氏名と、そのオペレータの退社時刻のデータを格納する。
【００２０】
記録装置１５は、プログラムやデータ等が予め記憶されている記録媒体を有している。この記録媒体は、磁気的、光学的記録媒体又は半導体等の不揮発性メモリで構成されており、記録装置１５に固定的に設けたもの又は着脱自在に装着するものである。この記録媒体は、モード対応処理プログラム（図５参照）、外部装置対応処理プログラム（図６参照）、登録処理プログラム（図７参照）、売上データ関連処理プログラム（図８参照）、コンディメント登録処理プログラム（図９参照）、外部プリンタ動作処理（図１０参照）及びこれらのプログラムで処理されたデータ等を記憶する。
【００２１】
記録装置１５は、図３に示すような動作モード別電圧値テーブル１５１を格納する。動作モード別電圧値テーブル１５１は、図３に示すように、動作モード別に、「動作モード」と「電圧値」の項目を対応付けて格納する。動作モード別電圧値テーブル１５１において、「動作モード」項目は、ＥＣＲ１自体の動作状態又は他の機器と間の動作状態（動作モード）のデータを格納している。動作モードとしては、通常モード、精算モード、マスタ切り離しモード、スキャニングモード、コンパルソリーモード（後述）、プリンタＯＦＦ  ＬＩＮＥモード、通信エラーモード、外部印字エラーモード等がある。「電圧値」項目は、ＬＣＤの液晶層に印加する電圧値のデータを格納している。ＬＣＤの液晶層に印加する電圧値によって光の透過率を制御することにより、多数の色が表現される。
【００２２】
なお、記録装置１５が記憶するプログラム、データ等は、その一部又は全部を他の機器から通信ネットワークを介して受信して記憶する構成にしてもよい。また、記録媒体は通信ネットワーク上に構築された別のホストコンピュータの記録媒体であってもよい。また、記録装置１５が記憶するプログラムを、通信ネットワークを介して他の機器へ伝送して、これらの機器にインストールするような構成にしてもよい。
【００２３】
印刷装置１６は、ＣＰＵ１０から入力される印刷制御信号に従って、客との取引内容をレシート用紙とジャーナル用紙に印字する。
【００２４】
スキャナ１７は、バーコードを読み取る装置であり、光源、ＣＣＤ（Ｃｈａｒｇｅ  Ｃｏｕｐｌｅｄ  Ｄｅｖｉｃｅ）等により構成される。スキャナ１７は、光源の光をバーコードに照射して反射光を検出し、検出した信号をデジタル信号に変換する。ドロア１８は、現金を収納し、入力装置１１において、「現金／預かり金」キー等が操作された際に開放される。
【００２５】
次に、本実施の形態における動作を説明する。
図４〜図１１は、ＥＣＲ１の動作を説明するためのフローチャートである。これらのフローチャートに記述されている各処理を実現するためのプログラムは、ＣＰＵ１０が読み取り可能なプログラムコードの形態で記録媒体に格納されている例で説明するが、全ての機能を記録媒体に格納する必要はなく、必要に応じて、その一部又は全部を、通信ネットワークＮを介して伝送制御部１３から受信して実現するようにしてもよい。
【００２６】
まず、図４のフローチャートを参照して、ＥＣＲ１により実行される全体処理について説明する。この全体処理は、ＥＣＲ１の主要動作として実行される処理である。
【００２７】
入力装置１１又はスキャナ１７からＣＰＵ１０に信号が入力されると（ステップＳ１；ＹＥＳ）、入力信号が解析され（ステップＳ２）、解析結果に基づいて、その入力信号が、自己装置の動作を指示する信号であるか、外部装置との間の動作を指示する信号であるかが判定される（ステップＳ３、Ｓ５）。
【００２８】
ステップＳ３において、入力信号が、自己装置の動作を指示する信号であると判定された場合（ステップＳ３；ＹＥＳ）、後述のモード対応処理（図５参照）が行われ（ステップＳ４）、ステップＳ１に戻る。一方、入力信号が、外部装置との間の動作を指示する信号であると判定された場合（ステップＳ５；ＹＥＳ）、後述の外部装置対応処理が行われ（ステップＳ６）、ステップＳ１に戻る。
【００２９】
次に、図５のフローチャートを参照して、図４のステップＳ４で示したモード対応処理の詳細について説明する。
【００３０】
入力装置１１からの入力信号が、精算を指示する信号である場合（ステップＳ１０；ＹＥＳ）、ＬＣＤのバックライトの色を一定時間変更するように設定されているか否かが判定される（ステップＳ１１）。ステップＳ１１において、バックライトの色が一定時間変更するように設定されていると判定された場合（ステップＳ１１；ＹＥＳ）、動作モード別電圧値テーブル１５１に格納された精算モードに対応する電圧値に従ってバックライトの色が変更される（ステップＳ１２）。
【００３１】
バックライトの色が変更されると、バックライトの色が変更されてから一定時間が経過したか否かが判定される（ステップＳ１３）。ステップＳ１３において、バックライトの色が変更されてから一定時間が経過したと判定された場合（ステップＳ１３；ＹＥＳ）、バックライトの色が通常モードの色（デフォルトの色）に戻される（ステップＳ１４）。
【００３２】
バックライトの色が通常モードの色に戻ると、印刷装置１６により精算レポートが印刷される（ステップＳ１６）。精算レポートの印刷が終了すると（ステップＳ１７；ＹＥＳ）、精算データのクリア処理が行われる（ステップＳ１８）。精算データのクリア処理が開始されると、動作モード別電圧値テーブル１５１に格納された精算データクリアモードに対応する電圧値に従って、バックライトの色が変更される（ステップＳ１９）。このように、精算データのクリア動作中に、バックライトの色を精算データクリア用の色に変更するのは、精算データのクリア動作中は次の釦操作が不可能であることをオペレータに通知するためである。
【００３３】
精算データのクリア動作が終了すると（ステップＳ２０；ＹＥＳ）、バックライトの色が通常モードの色（デフォルトの色）に戻され（ステップＳ２１）、本モード対応処理が終了する。
【００３４】
ステップＳ１１において、バックライトの色が一定時間変更するように設定されていないと判定された場合（ステップＳ１１；ＮＯ）、動作モード別電圧値テーブル１５１に格納された精算モードに対応する電圧値に従ってバックライトの色が変更され（ステップＳ１５）、ステップＳ１６の精算レポートの印刷動作に移行する。
【００３５】
入力装置１１又はスキャナ１７からの入力信号が、登録を指示する信号である場合（ステップＳ２２；ＹＥＳ）、後述の登録処理（図７参照）が行われ（ステップＳ２３）、本モード対応処理が終了する。入力装置１１からの入力信号が、精算、登録以外の動作を指示する信号である場合（ステップＳ２２；ＮＯ）、その入力信号が指示する動作モードが判別される（ステップＳ２４）。そして、バックライトが、その判別された動作モードに応じた色に変更され（ステップＳ２５）、本モード対応処理が終了する。
【００３６】
次に、図６のフローチャートを参照して、図４のステップＳ６で示した外部装置対応処理の詳細について説明する。以下では、ＥＣＲ２を、マスタと呼ぶことにする。
【００３７】
入力装置１１から、外部装置との間の動作を指示する信号が入力されると（ステップＳ３０；ＹＥＳ）、その入力信号が解析され（ステップＳ３１）、入力信号の指示内容が判定される。
【００３８】
ステップＳ３１における解析結果により、入力信号が、マスタとの通信を指示する信号であると判定された場合（ステップＳ３２；ＹＥＳ）、マスタとの通信により、マスタが稼動中であるか否かが判定される（ステップＳ３３）。
【００３９】
ステップＳ３３において、マスタが稼動中であると判定された場合（ステップＳ３３；ＹＥＳ）、売上データがマスタに送信され（ステップＳ３９）、本外部装置対応処理が終了する。レストランシステム１００における売上データとしては、テーブル番号、注文料理情報（料理名、個数）、コンディメント等が含まれる。
【００４０】
ステップＳ３３において、マスタが何らかの原因で稼動中ではないと判定された場合（ステップＳ３３；ＮＯ）、マスタとの切り離し処理が行われ（ステップＳ３４）、動作モード別電圧値テーブル１５１に格納されたマスタ切り離しモードに対応する電圧値に従って、ＬＣＤのバックライトの色が変更される（ステップＳ３５）。このとき、売上データは、ＥＣＲ１側に蓄えられる。このように、マスタから切り離されているＥＣＲのバックライトをマスタ切り離し用の色に変更させることで、売上データ等がどのＥＣＲのメモリに蓄えられているかが通知可能になる。
【００４１】
バックライトの色が、マスタ切り離し用の色に変更されると、マスタとの通信により、マスタのシステムが正常状態に復帰したか否かが判定される（ステップＳ３６）。ステップＳ３６において、マスタのシステムが復帰したと判定された場合（ステップＳ３６；ＹＥＳ）、バックライトの色が、マスタ切り離し前の元の色に戻され（ステップＳ４３）、本外部装置対応処理が終了する。
【００４２】
ステップＳ３６において、マスタのシステムが復帰していないと判定された場合（ステップＳ３６；ＮＯ）、マスタとの切り離しが行われてから一定時間が経過したか否かが判定される（ステップＳ３７）。ステップＳ３７において、マスタとの切り離しが行われてから一定時間が経過したと判定された場合（ステップＳ３７；ＹＥＳ）、動作モード別電圧値テーブル１５１に格納された通信エラーモードに対応する電圧値に従って、バックライトの色が一定時間変更される（ステップＳ３８）。
【００４３】
バックライトの色が通信エラー用の色に変更されてから一定時間が経過すると、バックライトがマスタ切り離し用の色に戻され（ステップＳ３５）、再度、マスタのシステムが復帰したが否かが判定される（ステップＳ３６）。
【００４４】
ステップＳ３１における解析結果により、入力信号が、外部プリンタとの通信を指示する信号であると判定された場合（ステップＳ４０；ＹＥＳ）、後述の外部プリンタ動作処理（図１０参照）が行われ（ステップＳ４１）、本外部装置対応処理が終了する。
【００４５】
ステップＳ３１における解析結果により、入力信号が、マスタ、外部プリンタ以外の外部装置との通信を指示する信号である場合（ステップＳ４０；ＮＯ）、その入力信号にしたがって、他の外部装置との通信処理が行われ（ステップＳ４２）、本外部装置対応処理が終了する。
【００４６】
なお、チェック登録時等にマスタと切り離されたことを示す情報をＲＡＭ１４に一時的に格納しておけば、後に、チェック登録時にマスタと切り離されたことを、バックライトの色によって通知することが可能になる。
【００４７】
次に、図７のフローチャートを参照して、図５のステップＳ２３で示した登録処理の詳細について説明する。
【００４８】
スキャナ１７により、客から注文された料理を示すバーコードのスキャニングが行われると（ステップＳ５０；ＹＥＳ）、動作モード別電圧値テーブル１５１に格納されたスキャニングモードに対応する電圧値に従って、ＬＣＤのバックライトの色が変更される（ステップＳ５１）。スキャニングが行われると、ＲＡＭ１４の中から、売上の合計を格納した合計メモリがサーチされ（ステップＳ５２）、合計メモリの有無によりスキャニングが成功したか否かが判定される（ステップＳ５３）。
【００４９】
ステップＳ５３において、スキャニングが成功しなかったと判定された場合（ステップＳ５３；ＮＯ）、動作モード別電圧値テーブル１５１に格納されたスキャニングエラーに対応する電圧値に従って、バックライトの色が変更される（ステップＳ６０）。バックライトがスキャニングエラー用の色に変更され、入力装置１１からエラー確認を示す信号が入力されると（ステップＳ６１；ＹＥＳ）、バックライトの色が元の色に戻され（ステップＳ６２）、本登録処理が終了する。
【００５０】
ステップＳ５３において、スキャニングが成功したと判定された場合（ステップＳ５３；ＹＥＳ）、バックライトの色が元の色に戻される（ステップＳ５４）。そして、ＲＡＭ１４の合計メモリが更新され（ステップＳ５５）、売上データがディスプレイ部１２１に表示される（ステップＳ５６）。
【００５１】
次いで、スキャニングによって読み取られた商品データ（客の注文内容）が、外部プリンタ（例えば、厨房に設置されたプリンタ２０、食券を発行するプリンタ等）による印刷の対象であるか否かが判定される（ステップＳ５７）。ステップＳ５７において、スキャニングによって読み取られた商品データが印刷対象であると判定された場合（ステップＳ５７；ＹＥＳ）、ＲＡＭ１４に、印刷対象の商品データが一時的に記憶され（ステップＳ５８）、後述の売上データ関連処理（図８参照）に移行する（ステップＳ５９）。ステップＳ５７において、スキャニングによって読み取られた商品データが印刷対象でないと判定された場合（ステップＳ５７；ＮＯ）、直ちに、後述の売上データ関連処理（図８参照）に移行する（ステップＳ５９）。
【００５２】
ステップＳ５０において、スキャニングが行われなかった場合（ステップＳ５０；ＮＯ）、後述のコンディメント登録処理（図９参照）に移行する。
【００５３】
次に、図８のフローチャートを参照して、図７のステップＳ５９で示した売上データ関連処理の詳細について説明する。
【００５４】
客数の入力を要求する客数コンパルソリーが発生すると（ステップＳ７０；ＹＥＳ）、動作モード別電圧値テーブル１５１に格納されたコンパルソリーモードに対応する電圧値に従って、ＬＣＤのバックライトの色がコンパルソリー報知用の色に変更される（ステップＳ７１）。
【００５５】
入力装置１１により客数が入力されると（ステップＳ７２；ＹＥＳ）、バックライトの色が元の色に戻され（ステップＳ７３）、本売上データ関連処理が終了し、後述のコンディメント登録処理（図９参照）に移行する。ステップＳ７０において、客数コンパルソリーが発生しなかった場合も（ステップＳ７０；ＮＯ）、後述のコンディメント登録処理（図９参照）に移行する。なお、ステップＳ７１では、バックライトの色を、動作モード別電圧値テーブル１５１に予め設定された色に変更するようにしたが、バックライトの色を、次に押すべき釦の色に変更するようにしてもよい。
【００５６】
次に、図９のフローチャートを参照して、コンディメント登録処理について説明する。以下のコンディメント登録処理では、コンディメントの入力として、１０アイテムの入力が設定されている場合について説明する。
【００５７】
コンディメントとして、複数のアイテムの入力を要求するコンディメントコンパルソリーが発生すると（ステップＳ８０；ＹＥＳ）、ＬＣＤのバックライトの色が赤色に変更される（ステップＳ８１）。入力装置１１によりコンディメントが入力されると（ステップＳ８２；ＹＥＳ）、バックライトの色が、１段階緑に近づけられる（ステップＳ８３）。
【００５８】
次いで、１０アイテムのコンディメントの入力が終了したか否かが判定される（ステップＳ８４）。ステップＳ８４において、１０アイテムの入力が終了していないと判定された場合（ステップＳ８４；ＮＯ）、ステップＳ８２に戻り、次のコンディメントの入力が行われる。
【００５９】
ステップＳ８４において、１０アイテムの入力が終了したと判定された場合（ステップＳ８４；ＹＥＳ）、バックライトの色が元の色に戻され（ステップＳ８５）、本コンディメント登録処理が終了する。
【００６０】
次に、図１０のフローチャートを参照して、図６のステップＳ４１に示した外部プリンタ動作処理の詳細について説明する。なお、以下の外部プリンタ動作処理では、外部プリンタが、厨房に設置されたプリンタ２０である場合について説明するが、食券を発行するためのプリンタ（図示略）においても、以下の外部プリンタ動作処理は適用される。
【００６１】
まず、ＲＡＭ１４に、印刷対象の商品データが記憶されているか否かが判定される（ステップＳ９０）。ステップＳ９０において、ＲＡＭ１４に、印刷対象の商品データが記憶されていると判定された場合（ステップＳ９０；ＹＥＳ）、プリンタ２０がＯＦＦ  ＬＩＮＥであるか否かが判定される（ステップＳ９１）。
【００６２】
ステップＳ９１において、プリンタ２０がＯＦＦ  ＬＩＮＥであると判定された場合（ステップＳ９１；ＹＥＳ）、動作モード別電圧値テーブル１５１に格納された外部印字エラーモードに対応する電圧値に従って、バックライトの色が変更され（ステップＳ９２）、本外部プリンタ動作処理が終了する。
【００６３】
ステップＳ９１において、プリンタがＯＮ  ＬＩＮＥであると判定された場合（ステップＳ９１；ＮＯ）、ＲＡＭ１４に格納された商品データに基づいて印字データが作成され（ステップＳ９３）、その作成された印字データがプリンタ２０に送信される（ステップＳ９４）。印字データがプリンタ２０に送信されると、作成された印字データがクリアされ（ステップＳ９５）、本外部プリンタ動作処理が終了する。
【００６４】
次に、図１１のフローチャートを参照して、オペレータの退社時刻間近にＥＣＲ１により実行される処理について説明する。
【００６５】
ＥＣＲ１の担当者として設定されたオペレータの退社時刻の１０分前になると（ステップＳ１００；ＹＥＳ）、ＬＣＤのバックライトが一定時間点滅される（ステップＳ１０１）。また、該当するオペレータの退社時刻の５分前になると（ステップＳ１０２；ＹＥＳ）、動作モード別電圧値テーブル１５１に格納された退社時刻通知モードに対応する電圧値に従って、バックライトの色が一定時間変更され（ステップＳ１０３）、本処理が終了する。
【００６６】
以上のように、本実施の形態のＥＣＲ１によれば、ＥＣＲ１自体の動作状態に応じて、表示装置１２のＬＣＤのバックライトの色を制御するようにしたことにより、機器自体の動作状態をオペレータに通知することが可能になる。また、ＥＣＲ１に接続された他の機器（マスタＥＣＲ２、プリンタ２０等）との間の動作状態に応じて、ＬＣＤのバックライトの色を制御するようにしたことにより、他の機器との間の動作状態をオペレータに通知することが可能になる。
【００６７】
なお、ＬＣＤのバックライトの色が変更される動作モードは、上述に限定されない。例えば、ＥＣＲ２（マスタ）からＥＣＲ１（スレーブ）に単価設定を行う場合においても、ＬＣＤのバックライトを変更するようにしてもよい。
【００６８】
次に、ＥＣＲ１において実行される登録処理の変形例について、変形例１及び変形例２を挙げて説明する。
【００６９】
〈変形例１〉
変形例１では、主にスーパーマーケットで適用されるＥＣＲ１の登録処理について説明する。
【００７０】
図１２のフローチャートを参照して、ＥＣＲ１において実行される登録処理の一例として、ミックスマッチ登録処理について説明する。ここで、ミックスマッチとは、予め決められたアイテムが所定の数だけ登録された場合に、自動的に値引き等を行うことである。
【００７１】
スキャナ１７又は入力装置１１により、アイテムが入力されると（ステップＳ１１０）、その入力されたアイテムがミックスマッチの対象商品であるか否かが判定される（ステップＳ１１１）。ステップＳ１１１において、入力されたアイテムがミックスマッチの対象ではないと判定された場合（ステップＳ１１１；ＮＯ）、本ミックスマッチ登録処理が終了する。
【００７２】
ステップＳ１１１において、入力されたアイテムがミックスマッチの対象であると判定された場合（ステップＳ１１１；ＹＥＳ）、動作モード別電圧値テーブル１５１に格納されたミックスマッチモードに対応する電圧値に従って、ＬＣＤのバックライトの色が変更される（ステップＳ１１２）。
【００７３】
次いで、同種のミックスマッチ対象のアイテムの入力が全て終了したか否か、即ち、アイテムが所定の数（例えば、３アイテム）だけ入力されたか否かが判定される（ステップＳ１１３）。ステップＳ１１３において、同種のミックスマッチ対象のアイテムの入力が全て終了していないと判定された場合（ステップＳ１１３；ＮＯ）、ステップＳ１１０に戻り、更にアイテムが入力される。
【００７４】
ステップＳ１１３において、同種のミックスマッチ対象のアイテムの入力が全て終了したと判定された場合（ステップＳ１１３；ＹＥＳ）、ミックスマッチ処理（値引き処理）が行われる（ステップＳ１１４）。ミックスマッチ処理が終了すると、バックライトの色が元に戻り（ステップＳ１１５）、本ミックスマッチ登録処理が終了する。
【００７５】
以上のように、変形例１のＥＣＲ１によれば、登録しているアイテムがミックスマッチ対象の商品である場合に、ＬＣＤのバックライトを、ミックスマッチ用の色に変更することにより、登録しているアイテムがミックスマッチ対象であることをオペレータに通知することが可能になる。なお、同種のミックスマッチ対象のアイテムを入力する度に、バックライトの色を徐々に変化させるようにすると、オペレータは、アイテムの登録状況を容易に把握することができる。
【００７６】
〈変形例２〉
変形例２では、クリーニング店で適用されるＥＣＲ１の登録処理について説明する。
【００７７】
変形例２の登録処理の説明の前に、本変形例２におけるＥＣＲ１の記録装置１５に格納されるファイルについて説明する。
【００７８】
記録装置１５は、図１３（ａ）に示すような品物別仕上がり日数ファイル３５１を格納する。品物別仕上がり日数ファイル３５１は、「品物」及び「仕上がり日数」の項目を対応付けて格納する。品物別仕上がり日数ファイル３５１において、「品物」項目は、クリーニング対象の品物の名称データ（又は識別データ）を格納し、「仕上がり日数」項目は、対応する品物のクリーニングが仕上がる日数のデータを格納する。
【００７９】
また、記録装置１５は、図１３（ｂ）に示すような曜日別色情報ファイル３５２を格納する。曜日別色情報ファイル３５２は、「曜日」及び「電圧値」の項目を対応付けて格納する。曜日別色情報ファイル３５２において、「曜日」項目は、各曜日のデータを格納し、「電圧値」項目は、ＬＣＤの液晶層に印加する電圧値（色）のデータを格納している。クリーニング店では、曜日によって、客からの預かり品につけるタグの色を変えることによって、仕上がり日や預かり日をわかり易くしている。従って、曜日別色情報ファイル３５２において曜日別に設定された色は、客からの預かり品につけるタグの色と同一にするのが好ましい。
【００８０】
更に、記録装置１５は、図１４に示すような預かり品ファイル３５３を格納する。預かり品ファイル３５３は、客情報及び客からの預かり品に関する情報を格納したもので、図１４に示すように、「氏名」、「ＴＥＬ」、「預かり品」、「依頼日」、「仕上がり日」、「電圧値」の各項目を対応付けて格納する。預かり品ファイル３５３において、「氏名」項目は、品物を預けた客の氏名のデータを格納し、「ＴＥＬ」項目は、客の電話番号のデータを格納する。「預かり品」項目は、客から預かった品物の名称データ（又は識別データ）を格納する。「依頼日」項目は、客からクリーニングの依頼を受けた日付のデータを格納する。「仕上がり日」項目は、客から預かった品物のクリーニングが仕上がる日付のデータを格納する。「電圧値」項目は、曜日別色情報ファイル３５２において、品物のクリーニングが仕上がる曜日に対応付けて設定された電圧値のデータを格納する。
【００８１】
次に、図１５のフローチャートを参照して、変形例２における登録処理について説明する。
【００８２】
まず、入力装置１１又はスキャナ１７により、クリーニング対象の品物の名称（又は識別情報）が入力されると（ステップＳ１２０）、品物別仕上がり日数ファイル３５１から、その入力された品物に対応する仕上がり日数が抽出され、当該品物の仕上がり日が導出される（ステップＳ１２１）。
【００８３】
次いで、曜日別色情報ファイル３５２から、ステップＳ１２１で導出された仕上がり日の曜日に対応する電圧値が抽出され（ステップＳ１２２）、その抽出された電圧値に従って、ＬＣＤのバックライトの色が変更される（ステップＳ１２３）。バックライトの色が変更されると、預かり品ファイル３５３に、預かり品の名称データ（又は識別データ）、依頼日、仕上がり日、色情報（ステップＳ１２２において抽出された電圧値）がセットされ（ステップＳ１２４）、本登録処理が終了する。
【００８４】
以上のように、変形例２のＥＣＲ１によれば、クリーニングの仕上がり日の曜日に応じて、ＬＣＤのバックライトの色を、客からの預かり品につけるタグの色に変更することにより、オペレータは、預かり品につけるタグの色を容易に特定することができる。
【００８５】
なお、クリーニングの仕上がり日の曜日に応じてＬＣＤのバックライトの色を変更するだけでなく、印刷装置１６又は外部プリンタで、その曜日に対応する色のタグを印刷するようにしてもよい。このようにすると、店側で予め７色のタグを用意する必要がなくなる。また、客に渡すレシート上の文字を、クリーニングの仕上がり日の曜日に対応する色で印字するようにしてもよい。
【００８６】
次に、図１６を参照して、クリーニング点で適用されるＥＣＲ１の登録処理の他の例として、画像処理機能を有するＥＣＲにおいて実行可能な登録処理について説明する。このＥＣＲには、画像を読み取るためのイメージスキャナが接続されているものとする。
【００８７】
まず、イメージスキャナにより、客からの預かり品の画像データが取り込まれ（ステップＳ１３０）、取り込まれた画像データから、その預かり品のベース色が特定される（ステップＳ１３１）。
【００８８】
次いで、ＬＣＤのバックライトの色が、ステップＳ１３１において特定された色に変更される（ステップＳ１３２）。次いで、外部プリンタにより、ステップＳ１３１において特定された色でタグが印刷される（ステップＳ１３３）。タグが印刷されると、預かり品ファイル３５３に、預かり品の名称データ（又は識別データ）、依頼日、仕上がり日、色情報（ステップＳ１３１において特定された色に対応する電圧値）がセットされ（ステップＳ１３４）、本登録処理が終了する。
【００８９】
このように、客からの預かり品の色を自動的に特定し、ＬＣＤのバックライトの色を、その特定された色に変更するとともに、タグをその特定された色で印刷するようにしたことにより、クリーニングされた品物の受け渡し時に、店員が該当する品物を容易に見つけることができる。
【００９０】
なお、上述の実施の形態、変形例１及び変形例２における記述内容は、本発明の趣旨を逸脱しない範囲で適宜変更可能である。
【００９１】
例えば、入力装置１１を構成する各釦のうち、特定の動作を指示する釦のキートップの色を、ＬＣＤのバックライトの色に対応づけるようにしてもよい。また、動作状態に応じて、バックライトの色を変更させるとともに、バックライトの点滅速度を変化させるようにしてもよい。
【００９２】
【発明の効果】
本発明によれば、電子機器に備えられた表示装置のバックライト部の色を、電子機器自体の動作状態に応じて制御することにより、電子機器の動作状態を通知することが可能になる。また、前記バックライト部の色を、他の機器との間の動作状態に応じて制御することにより、他の機器との間の動作状態を通知することが可能になる。
【図面の簡単な説明】
【図１】実施の形態におけるレストランシステム１００の全体構成を示すブロック図。
【図２】本発明を適用した実施の形態に係るＥＣＲ１の主要部構成を示すブロック図。
【図３】ＥＣＲ１の記録装置１５に格納される動作モード別電圧値テーブル１５１のデータ構成を示す図。
【図４】ＥＣＲ１により実行される全体処理を示すフローチャート。
【図５】ＥＣＲ１により実行されるモード対応処理を示すフローチャート。
【図６】ＥＣＲ１により実行される外部装置対応処理を示すフローチャート。
【図７】ＥＣＲ１により実行される登録処理を示すフローチャート。
【図８】ＥＣＲ１により実行される売上データ関連処理を示すフローチャート。
【図９】ＥＣＲ１により実行されるコンディメント登録処理を示すフローチャート。
【図１０】ＥＣＲ１により実行される外部プリンタ動作処理を示すフローチャート。
【図１１】オペレータの退社時刻間近にＥＣＲ１により実行される処理を示すフローチャート。
【図１２】本実施の形態の変形例１において、ＥＣＲ１により実行されるミックスマッチ登録処理を示すフローチャート。
【図１３】本実施の形態の変形例２において、ＥＣＲ１の記録装置１５に格納される品物別仕上がり日数ファイル３５１のデータ構成（同図（ａ））と、曜日別色情報ファイル３５２のデータ構成（同図（ｂ））を示す図。
【図１４】本実施の形態の変形例２において、ＥＣＲ１の記録装置１５に格納される預かり品ファイル３５３のデータ構成を示す図。
【図１５】変形例２のＥＣＲ１において実行される登録処理を示すフローチャート。
【図１６】変形例２において、画像処理機能を有するＥＣＲにより実行可能な登録処理を示すフローチャート。
【符号の説明】
１、２    ＥＣＲ
１０  ＣＰＵ
１１  入力装置
１２  表示装置
１２１  ディスプレイ部
１２２  バックライト部
１３  伝送制御部
１４  ＲＡＭ
１５  記録装置
１５１  動作モード別電圧値テーブル
１６  印刷装置
１７  スキャナ
１８  ドロア
２０  プリンタ
１００    レストランシステム
３５１    品物別仕上がり日数ファイル
３５２    曜日別色情報ファイル
３５３    預かり品ファイル
【図１】
2005018420.tif 000003
【図２】
2005018420.tif 000004
【図３】
2005018420.tif 000005
【図４】
2005018420.tif 000006
【図５】
2005018420.tif 000007
【図６】
2005018420.tif 000008
【図７】
2005018420.tif 000009
【図８】
2005018420.tif 000010
【図９】
2005018420.tif 000011
【図１０】
2005018420.tif 000012
【図１１】
2005018420.tif 000013
【図１２】
2005018420.tif 000014
【図１３】
2005018420.tif 000015
【図１４】
2005018420.tif 000016
【図１５】
2005018420.tif 000017
【図１６】
2005018420.tif 000018